(57)【特許請求の範囲】
【請求項１】
計測部と表示部とがコードレスで分離し、前記計測部と前記表示部との間を光信号により通信を行うセパレート型光通信生体計測装置において、
前記計測部は、前記計測部と表示部との間の通信状態にかかわらず被測定者を測定する測定手段と、前記測定手段による被測定者の測定が完了した時点の測定データを記憶する記憶手段と、前記測定手段による被測定者の測定が完了した時点からのデータが、測定前の状態に戻ったことを確認する手段と、前記測定前の状態に戻ったことを確認した後に、前記記憶手段に記憶された被測定者の測定が完了した時点の測定データを前記表示部に送信する送信手段とを備えることを特徴とするセパレート型光通信生体計測装置。
【請求項２】
前記計測部は更に、被測定者の測定が完了したことを報知する報知手段を備えることを特徴とする請求項１記載のセパレート型光通信生体計測装置。
【請求項３】
前記送信手段は、送信を所定の間に限り行うことを特徴とする請求項１又は２記載のセパレート型光通信生体計測装置。
【発明の詳細な説明】
【０００１】
【発明の属する技術分野】
本発明は、計測部と表示部とのコードレス間の光信号通信状態が不通となっても測定結果を表示部で確認することが可能なセパレート型光通信生体計測装置に関する。
【０００２】
【従来の技術】
従来、計測部と表示部とがコードレスで分離し、計測部と表示部との間を光信号により通信を行うセパレート型光通信生体計測装置は、被測定者を測定している時の状態を保ったまま計測部から測定データを表示部に送信し、この送信された測定データに基づく測定結果を表示部に表示するというものであった。
【０００３】
例えば、このセパレート型光通信生体計測装置の一種であり、計測部と表示部とがコードレスで分離し、計測部と表示部との間を赤外線信号により通信を行うセパレート型体重計付き体脂肪計は、体重測定手段と生体インピーダンス測定手段とを有する計測部に表示部を手に保持した被測定者が乗り、その状態が保たれている時に、体重測定手段や生体インピーダンス測定手段で測定された測定データを表示部に送信し、表示部に測定データに基づく測定結果を表示するものであつた。
【０００４】
【発明が解決しようとする課題】
しかしながら、従来のセパレート型光通信生体計測装置は、被測定者を測定している時の状態を保ったまま計測部から測定データを表示部に送信するために、計測部と表示部との間の光信号通信経路が何らかの原因で妨げられた場合、通信状態が不通となり正確な測定結果を得ることができなかった。また、計測部と表示部との間の光信号通信経路を回復させるには、計測部で被測定者を測定している時の状態のままで計測部と表示部との間の光信号通信経路の妨げとなっている原因を取り除かねばならず、被測定者に対して負担や手間がかかった。
【０００５】
例えば、従来のセパレート型体重計付き体脂肪計は、すその広がりの大きいスカートをはいた女性やお腹の大きな妊婦等の被測定者が表示部を手に保持して計測部に乗って測定しようとすると、計測部と表示部との間の赤外線信号通信経路をスカートやお腹が遮断し、通信状態が測定開始時からまったく不通であったり、測定の途中で不通となったりして、正確な測定結果を得ることができなかった。また、計測部と表示部との間の赤外線信号通信経路の遮断を回避させるには、表示部の保持する姿勢を変えたり、計測部の乗る位置を変えたり、スカートの広がりを押さえたりといったことをしなければならず、被測定者に対して負担や手間がかかった。
【０００６】
そこで、本発明は、上記のような従来の問題点を解決することを目的とするもので、被測定者に対して負担や手間をかけさせることなく正確な測定結果が得られるセパレート型光通信生体計測装置を提供することを課題とする。
【０００７】
【課題を解決するための手段】
上記目的を達成するために、本発明のセパレート型光通信生体計測装置は、計測部と表示部とがコードレスで分離し、前記計測部と前記表示部との間を光信号により通信を行うセパレート型光通信生体計測装置において、前記計測部は、前記計測部と表示部との間の通信状態にかかわらず被測定者を測定する測定手段と、前記測定手段による被測定者の測定が完了した時点の測定データを記憶する記憶手段と、前記測定手段による被測定者の測定が完了した時点からのデータが、測定前の状態に戻ったことを確認する手段と、前記測定前の状態に戻ったことを確認した後に、前記記憶手段に記憶された被測定者の測定が完了した時点の測定データを前記表示部に送信する送信手段とを備えることを特徴とする。これによると、前記計測部と表示部との間の通信状態にかかわらず測定手段で被測定者を測定し、この測定を完了した時点の測定データを記憶手段に記憶し、この記憶された被測定者の測定を完了した時点の測定データを送信手段により表示部に送信するので、測定している時の計測部と表示部との間の光信号通信経路が遮断されている状態であっても測定でき、しかも被測定者を測定している時の状態が計測部と表示部との間の通信経路を遮断するような場合であっても、被測定者が計測部から降りて通信経路を回復させる状態になってから測定データを表示部に送信するので、測定完了後の測定データを表示部に確実に送信することができる。
【０００８】
また、前記計測部は更に、被測定者の測定が完了したことを報知する報知手段を備えることを特徴とする。これによると、報知手段で被測定者の測定が完了したことを報知するので、計測部と表示部との間の妨げられている光信号通信経路を正常に回復すべき時機を認識することができる。
【００１０】
また、前記送信手段は、送信を所定の間に限り送信することを特徴とする。これによると、計測部の送信手段からは被測定者の測定を完了した時点の測定データを所定の間に限って送信するので、送信のために費やすエネルギーが無駄とならないように抑えることができる。
【００１１】
【発明の実施の形態】
以下、本発明の実施の形態について図面を用いて説明する。なお、セパレート型光通信生体計測装置の一種であるセパレート型体重計付き体脂肪計について説明するが、本発明はこのセパレート型体重計付き体脂肪計に限定されるものではない。
【００１２】
図１に本発明に係わるセパレート型体重計付き体脂肪計の一実施例の外観を斜視図で示し、図２にその構成をブロック図で示す。本発明のセパレート型体重計付き体脂肪計１は、体重と生体インピーダンスを測定する計測部１０と、体重や生体インピーダンスに基づいた結果を表示する表示部３０とから成る。
【００１３】
そして、計測部１０には、測定手段１２、報知手段１３、第１記憶手段１４、第１送信手段１６、第１受信手段１７、第１電源スイッチ１５及び第１ＣＰＵ１１が備えられている。また、表示部３０には、表示手段３２、第２記憶手段３３、第２送信手段３７、第２受信手段３６、第２電源スイッチ３４、設定スイッチ３５及び第２ＣＰＵ３１が備えられている。
【００１４】
第１ＣＰＵ１１では、計測部１０全体の動作の制御及び演算を行う。第１電源スイッチ１５では、計測部１０に電力を投入する。測定手段１２では、体重測定手段１９と電極２０ａ、２０ｂ、２１ａ、２１ｂを有する生体インピーダンス測定手段１８とから成り、表示部３０の状態にかかわらず被測定者を測定する。なお、体重測定手段１９と生体インピーダンス測定手段１８は公知の技術で構成されるので詳述を省略する。報知手段１３では、測定手段１２による被測定者の測定が完了したことを報知する。報知手段１３には、例えば、ブザーが用いられる。第１記憶手段１４では、測定手段１２による被測定者の測定が完了した時点の測定データ（体重測定データ、生体インピーダンス測定データ）を記憶する。第１送信手段１６では、第１記憶手段１４に記憶された被測定者の測定が完了した時点の測定データを表示部３０に赤外線信号により送信する。なお、体重測定手段１９により測定される体重測定データについては、被測定者を測定している途中の時点においても表示部３０に送信される。第１受信手段１７では、表示部３０の第２送信手段３７から送信され、第１送信手段１６で送信した測定データに対する応答データである赤外線信号を受信する。
【００１５】
第２ＣＰＵ３１では、表示部３０全体の動作の制御及び演算を行う。第２電源スイッチ３４では、表示部３０に電力を投入する。設定スイッチ３５では、身長、性別、年齢等の身体特定化情報を入力する。表示手段３２では、計測部１０からの測定データに基づいた測定結果を表示する。表示手段３２には、例えば、ＬＣＤが用いられる。第２記憶手段３３では、表示手段３２で表示される測定結果のデータを記憶する。第２受信手段３６では、第１送信手段１６で送信された測定データである赤外線信号を受信する。第２送信手段３７では、第２受信手段３６で受けた測定データに対する応答データである赤外線信号を送信する。
【００１６】
なお、例えば、第１送信手段１６及び第２送信手段３７には発光ダイオードが用いられ、第１受信手段１７及び第２受信手段３６にはフォトダイオードやフォトトランジスタが用いられる。
【００１７】
次に、図３に本発明に係わるセパレート型体重計付き体脂肪計１の計測手順及び動作の流れをフローチャートで示す。なお、説明は、計測部１０と表示部３０とに分けずに行う。まず初めに、被測定者は計測部１０の第１電源スイッチ１５及び表示部３０の第２電源スイッチ３４を押す。これにより、計測部１０と表示部３０の各部が初期化される（ステップ１）。
【００１８】
続いて、被測定者は表示部３０の設定スイッチ３５から身長、性別、年齢等の身体特定化情報を公知の方法で入力する（ステップ２）。この入力された身体特定化情報は第２記憶部３３に記憶され、表示手段３２は計測部１０からの測定データの受信を待つ状態を表す待機表示となる。
【００１９】
続いて、被測定者は、電極２０ａ、２１ａに左足裏が、電極２０ｂ、２１ｂに右足裏が接触するように計測部１０の上に乗る。これにより、まず、体重測定手段１９により体重が測定される（ステップ３）。被測定者の体重測定データが確定して測定が完了すると、その完了時点の体重測定データが第１記憶手段１４に記憶される（ステップ４）。次に、生体インピーダンス測定手段１８により生体インピーダンスが測定される（ステップ５）。被測定者の生体インピーダンス測定データが確定して測定が完了すると、その完了時点の生体インピーダンス測定データが第１記憶手段１４に記憶される（ステップ６）。なお、計測部１０における体重と生体インピーダンスの測定は、表示部３０が計測部１０との間で通信不可な状態であっても行われる。表示部３０が計測部１０との間で通信不可な状態には、例えば、被測定者である女性や妊婦がスカートやお腹で、計測部１０の第１送信手段１６と表示部３０の第２受信手段３６との通信経路を遮断するような場合等が該当する。
【００２０】
続いて、報知手段１３により体重と生体インヒーダンスの測定が完了したことが報知される（ステップ７）。これにより、被測定者は、計測部１０による測定が完了したことを認識し計測部１０から降りる。
【００２１】
続いて、被測定者が計測部１０から降りたことにより、体重測定手段１９や生体インピーダンス測定手段１８からのそれぞれのデータが測定前の状態に戻り、この測定前の状態が第１ＣＰＵ１１において確認される（ステップ８）。
【００２２】
続いて、計測部１０が測定前の状態が確認された後、第１記憶手段１４に記憶された測定が完了した時点の体重測定データ及び生体インピーダンス測定データが計測部１０の第１送信手段１６から表示部３０の第２受信手段３６に送信される（ステップ９）。なお、体重測定手段１９で測定される体重測定データについては、被測定者の体重測定データが確定して完了する以前においても第１送信手段１６から第２受信手段３６に送信される。
【００２３】
続いて、計測部１０の第１送信手段１６から送信された測定が完了した時点の体重測定データ及び生体インピーダンス測定データの信号を表示部３０の第２受信手段３６で受信すると、この受信した信号が正常であるかを公知の方法で第２ＣＰＵ３１により判定され、正常であれば応答データを表示部３０の第２送信手段３７から計測部１０の第１受信手段１６に送信され（ステップ１０のＹＥＳ）、一連の計測が終了となる。
【００２４】
また、第２受信手段３６で受信した測定が完了した時点の体重測定データ及び生体インピーダンス測定データの信号が第２ＣＰＵ３１により正常でないと判定された場合や、計測部１０の第１送信手段１６から送信された測定が完了した時点の体重測定データ及び生体インピーダンス測定データの信号が表示部３０の第２受信手段３６で受信されない場合にはステップ１１に進む（ステップ１０のＮＯ）。
【００２５】
続いて、計測部１０の第１送信手段１６から表示部３０の第２受信手段３６への測定データの送信が所定の間なのかが第１ＣＰＵにより判定され、所定の間である場合には、ステップ９へと進み、第１送信手段１６からの送信が繰り返される（ステップ１１のＹＥＳ）。また、所定の間でない場合には、送信を中止し（ステップ１１のＮＯ）、一連の計測が終了となる。なお、ここで所定の間とは、測定を完了後、計測部１０と表示部３０との間の通信状態を回復させるために必要な期間に適当な猶予期間を合わせた一定の期間のことで、送信される回数や時間等によって定められる。例えば、セパレート型体重計付き体脂肪計の場合には、３０秒から１分位で定められる。
【００２６】
上述したように、本発明のセパレート型体重計付き体脂肪計（セパレート型光通信生体計測装置）１は、被測定者である女性や妊婦がスカートやお腹で、計測部１０の第１送信手段１６と表示部３０の第２受信手段３６との通信経路を遮断するような場合においても、測定手段１２で測定を続け、この測定を完了した時点の測定データ（体重測定データ、生体インピーダンス測定データ）を第１記憶手段１４に記憶する。このため、被測定者が計測部１０から降りて、計測部１０の第１送信手段１６と表示部３０の第２受信手段３６との間の赤外線通信経路を回復させてから、第１記憶手段１４に記憶された被測定者の測定を完了した時点の測定データを第１送信手段１６から表示部３０に送信することができる。
【００２７】
また、計測部１０側の報知手段１３により被測定者の測定が完了したことを報知するので、計測部１０の第１送信手段１６と表示部３０の第２受信手段３６との間の赤外線通信経路が遮断され、被測定者の手に保持する表示部３０で測定の完了したことを確認できないような場合にも、測定が完了したことを認識し、計測部１０から降りて計測部と表示部との間の赤外線通信経路を正常に回復すべき時機を得ることができる。
【００２８】
また、計測部１０の第１送信手段１６から表示部３０の第２受信手段３６に被測定者の測定を完了した時点の測定データを送信するにあたり、計測部から被測定者が降りることで解放されたことが第１ＣＰＵ１１において確認されてから行うので、測定完了後の測定データを表示部３０に確実に送信することができる。また、送信は所定の間に限られるので、計測部１０と表示部３０の間が永久に不通であるような場合においても第１送信手段１６からの送信を繰り返し続けることがなくなり、消費電力が無駄とならないようにできる。
【００２９】
なお、上述においては、計測部１０と表示部３０の間の通信には、赤外線により行うものであったが、他の光通信でも同様に実施可能である。
【００３０】
【発明の効果】
以上説明したように、本発明は、測定している時の計測部と表示部との間の光信号通信経路が遮断されている状態であっても測定可能なことにより正確な測定結果が得られ、しかも被測定者を測定している時の状態を解放してから測定完了後の測定データを表示部に送信が可能なことにより被測定者に対して負担や手間をかけさせることがない。
【００３１】
また、報知手段で被測定者の測定が完了したことを報知するので、妨げられている計測部と表示部との間の光信号通信経路を正常に回復すべき時機を認識することができるので、測定途中で測定を中断して、測定をやり直すような手間をかけさせることがなくなる。
【００３２】
また、計測部から被測定者が解放されてから測定データを送信するので、測定完了後の測定データを表示部に確実に送信することができる。
【００３３】
また、計測部の送信手段からは被測定者の測定を完了した時点の測定データを所定の間に限って送信するので、送信のために費やすエネルギーが無駄とならず、装置の電池寿命を延ばし、電池交換に対する手間を軽減させることができる。
【図面の簡単な説明】
【図１】本発明に係わるセパレート型体重計付き体脂肪計の一実施例の外観を示す斜視図である。
【図２】本発明に係わるセパレート型体重計付き体脂肪計の構成を示すブロック図である。
【図３】本発明に係わるセパレート型体重計付き体脂肪計の計測手順及び動作の流れを示すフローチャートである。
【符号の説明】
１  セパレート型体重計付き体脂肪計
１０  計測部
１１  第１ＣＰＵ
１２  測定手段
１３  報知手段
１４  第１記憶手段
１５  第１電源スイッチ
１６  第１送信手段
１７  第１受信手段
１８  生体インピーダンス測定手段
１９  体重測定手段
２０ａ、２０ｂ、２１ａ、２１ｂ  電極
３０  表示部
３１  第２ＣＰＵ
３２  表示手段
３３  第２記憶手段
３４  第２電源スイッチ
３５  設定スイッチ
３６  第２受信手段
３７  第２送信手段
【図１】
0003784048.tif 000002
【図２】
0003784048.tif 000003
【図３】
0003784048.tif 000004